(57)【要約】本発明は振動遮断器（１０）と一緒に使用するための半径方向のスナッバ（３０、１３０）に関する。半径方向のスナッバ（３０、１３０）は遮断器の残りの部分に対する遮断器のアルミニウムインサート（１４）のいかなる衝撃をも緩和し、遮断器が受ける歪を減少させる。
2004510110.tif 000002
【特許請求の範囲】
【請求項１】
振動遮断器であって、
遮断器を構造体に装着し、中央開口を画定するための外側素子と、
外側素子の中央開口を通って延びる内側素子と、
内側素子を外側素子に取り付けるためのエラストマー部材と、
外側素子に対する内側素子の衝撃を緩和するために遮断器に装着された半径方向のスナッバと、を有することを特徴とする振動遮断器。
【請求項２】
内側素子は金属インサートを有することを特徴とする請求項１の振動遮断器。
【請求項３】
内側素子は慣性センサ組立体を遮断器に装着するための中央開口を画定することを特徴とする請求項１の振動遮断器。
【請求項４】
半径方向のスナッバは内側素子の外径上に装着されることを特徴とする請求項１の振動遮断器。
【請求項５】
半径方向のスナッバは内側素子上にモールド成形されることを特徴とする請求項１の振動遮断器。
【請求項６】
半径方向のスナッバは内側素子に接着されることを特徴とする請求項１の振動遮断器。
【請求項７】
スナッバを接着するためにケイ素にかわが使用されることを特徴とする請求項６の振動遮断器。
【請求項８】
半径方向のスナッバは外側素子の内径上に装着されることを特徴とする請求項１の振動遮断器。
【請求項９】
半径方向のスナッバは外側素子上に装着されることを特徴とする請求項１の振動遮断器。
【請求項１０】
半径方向のスナッバは外側素子に接着されることを特徴とする請求項１の振動遮断器。
【請求項１１】
スナッバを外側素子に接着するためにケイ素にかわが使用されることを特徴とする請求項１０の振動遮断器。
【請求項１２】
半径方向のスナッバはエラストマー材料からダイスカットされることを特徴とする請求項１の振動遮断器。
【請求項１３】
構造体に装着するための外側素子と、慣性センサ組立体を遮断器に装着するための内側素子と、内側素子を外側素子に取り付けるエラストマー部材とを有する遮断器に使用するためのスナッバであって、
外側素子に対する内側素子の衝撃を緩和するために遮断器に装着された半径方向のワッシャ、を有することを特徴とするスナッバ。
【請求項１４】
半径方向のワッシャは内側素子に装着されることを特徴とする請求項１３のスナッバ。
【請求項１５】
半径方向のワッシャは外側素子に装着されることを特徴とする請求項１３のスナッバ。
【発明の詳細な説明】
【０００１】
【発明の分野】
本発明は一般にスナッバ装置（ｓｎｕｂｂｅｒ ｄｅｖｉｃｅ：緩衝器）に関し、特にエラストマー振動遮断器のためのスナッバ装置に関する。
【０００２】
【発明の背景】
ミサイルプログラムのための案内装置は４００Ｇ（１Ｇは重力に等しい）の１つのような厳しいショック入力を切り抜けることのできる慣性センサ組立体を必要とする。慣性センサ組立体は、剛固なアルミニウム構造体に装着された加速度計及びジャイロスコープの如きセンサを有する。加速度計及びジャイロスコープは比較的脆い機器なので、これらは振動遮断器により外部の振動及びショック入力から隔離される。振動遮断器の機能はショック入力の高エネルギを吸収してセンサを保護することである。この特定の慣性センサ組立体により吸収しなければならないショック入力は同じハードウエアを利用する他の現在のプログラムの要求を大幅に越える。
【０００３】
高い半径方向のショック負荷の下で、遮断器の内部金属インサートは偏向し、遮断器の外側素子に衝撃を与え、過剰なＧ力を発生させることがある。これは、遮断器上に多量の歪を付加し、ショック環境内で装置の感度を減少させる。遮断器のこの偏向はまたその上に装着されたセンサを損傷させることがある。
１つのオプションは異なる一層剛直な材料で遮断器を構成することにより遮断器を剛直にすることである。これは遮断器の偏向を減少させるが、遮断器はショック入力のエネルギを吸収せず、その結果、センサが損傷する。従って、このオプションは適していない。
【０００４】
別のオプションは、内側素子が外側素子に衝撃を与えないように、遮断器の寸法を大幅に増大させることである。案内装置の寸法制約のため、このオプションは実践的ではない。従って、技術分野において、高いＧ負荷の下で振動遮断器が受ける歪を減少させる方法の要求がある。技術分野において、ショック環境内で振動遮断器の感度を増大させる安価な方法の更なる要求がある。
【０００５】
【発明の概要】
本発明は振動遮断器が受ける歪を減少させる半径方向のスナッバを提供することにより従来技術の要求を満たす。半径方向のスナッバは遮断器の内側素子のまわりに置かれる。高いＧ負荷の下では、スナッバは遮断器の残りの部分に対する内側素子の衝撃を緩和する。従って、内側素子の偏向が回避され、遮断器上の歪及び慣性センサの損傷を減少させる。
【０００６】
［発明の詳細な説明］
本発明は、図３、図４に示され、図１−４に示す振動遮断器１０と一緒に使用することを意図する。このような振動遮断器は、ペンシルバニア州のエリー（Ｅｒｉｅ）のロード・コーポレーション（Ｌｏｒｄ Ｃｏｒｐｏｒａｔｉｏｎ） から入手できる。振動遮断器１０は一般に外側素子１２と内側素子１４とを含む。外側素子１２は中央開口１３を有し、この開口を通って内側素子１４が延びる。図２，３に明示するように、内側素子１４は、上記ペンシルバニア州のエリーのロード・コーポレーションから入手できる広域温度範囲（ＢＴＲ）形式の如き好ましくはケイ素エラストマーで構成されるエラストマー部材１５により外側素子１２に取付けられる。このエラストマー部材１５は、エネルギレベルが慣性センサ組立体上で減少するように、外部の振動及びショック負荷からのエネルギを吸収する。
【０００７】
遮断器１０の外側素子１４は更に、案内装置のシャシーに取付けるための２つのフランジ１６を有する。図１、３に示すように、各フランジ１６は適当なファスナー（図示せず）と嵌合するための開口１８を画定する。内側素子１４はネジ付き金属インサートからなる。図３に示すように、インサート１４は慣性センサ組立体を遮断器に装着するための中央開口２０を具備する。インサート１４は好ましくはアルミニウムで構成される。
【０００８】
本発明は遮断器１０と一緒に使用する半径方向のワッシャ即ちスナッバ３０に関する。スナッバ３０はゴムで構成され、好ましくは、遮断器の構成に使用されるものと同様のエラストマー材料のシートからダイスカットされる。スナッバ３０はアルミニウムインサート１４の外径を収容するための中央開口３２を具備する。図３に矢印で示すように、スナッバ３０は振動遮断器１０のアルミニウムインサート１４に装着される。ワッシャ即ちスナッバ３０はインサート１４上にモールド成形することができ、または、ダウ・コーニング（Ｄｏｗ Ｃｏｒｎｉｎｇ）３１４５ＲＴＶの如きケイ素にかわでインサート１４に接着することができる。
【０００９】
図４を参照すると、半径方向のスナッバの別の実施の形態が示されている。図４の遮断器は図３の遮断器と同様なので、共通の素子を示すのに同じ符号を使用する。図４の遮断器は半径方向のスナッバ１３０の配置において図３の遮断器とは異なる。図４から分かるように、半径方向のスナッバ１３０は遮断器１０の外側素子１２に装着される。スナッバ１３０は外側素子１２上にモールド成形することができ又はそれに接着することができる。
【００１０】
好ましい実施の形態においては、半径方向のスナッバは約１１．４３ｍｍ（０．４５インチ）の外径及び約６．３５ｍｍ（０．２５インチ）の内径を有する。これらの寸法は、遮断器の周波数特徴が変わらないように、通常の使用中にクリアランスを許容する。半径方向のスナッバの寸法はスナッバを一緒に使用する振動遮断器の形式に応じて変えることができることを理解すべきである。
【００１１】
遮断器が高いＧ負荷（例えば、４００Ｇ以上）を受けたとき、内側素子は外側素子に対して移動する傾向がある。半径方向のスナッバが適所にあれば、外側素子に対するアルミニウムインサートの衝撃は緩和される。半径方向のスナッバは制御された様式で衝撃のエネルギを吸収する。従って、内側素子は外側素子に直接衝撃を与えず、過剰なＧの発生は回避される。
【００１２】
本発明は単一の形式の遮断器または単一の形式の応用のみと一緒の使用に限定されないことを理解すべきである。逆に、種々の応用において、本発明は任意の数の振動又はショック遮断器と一緒に使用することができる。
ある実施の形態に関連して本発明を説明したが、本発明をこれらの特定の実施の形態に限定する意図はないことを理解すべきである。逆に、本発明の精神及び範囲内のすべての変形、修正及び等価をカバーすることを意図する。
【図面の簡単な説明】
【図１】
本発明に使用する遮断器の頂面図である。
【図２】
図１の遮断器の側面図である。
【図３】
遮断器と一緒に使用する本発明の半径方向のスナッバの横断面図である。
【図４】
遮断器と一緒に使用する本発明の半径方向のスナッバの別の実施の形態の横断面図である。
【図３】
2004510110.tif 000003
【国際公開パンフレット】
2004510110.tif 000004
2004510110.tif 000005
2004510110.tif 000006
2004510110.tif 000007
2004510110.tif 000008
2004510110.tif 000009
2004510110.tif 000010
2004510110.tif 000011
2004510110.tif 000012
【国際公開パンフレット（コレクトバージョン）】
2004510110.tif 000013
【国際調査報告】
2004510110.tif 000014
2004510110.tif 000015
2004510110.tif 000016